(57)【要約】【課題】固定用のボルトおよびナットを緩めたときに、バッテリーポスト端子をバッテリーポストから確実に取り外すことができるバッテリーポスト端子の固定構造を提供する。【解決手段】傾斜面３４が形成された左右の伸張部３２Ｌ、３２Ｒを有するバッテリーポスト端子１０と、４つの脚部４２のそれぞれに、傾斜面３４と同じ傾斜角度を有するスロープ４２Ａが形成され、スロープ４２Ａを傾斜面３４に接触させつつ上下に移動することで左右の伸張部３２Ｌ、３２Ｒを押圧するスロープ部材４０と、スロープ部材４０を上下に移動させるボルト５０およびナット６０とを備え、バッテリーポスト端子１０には、ボルト６０が下方向へ移動するのを規制するストッパー部３６が設けられ、スロープ部材４０には、ナット６０が上下方向において連結され、スロープ部材４０が上方向に移動可能に構成されている。【選択図】図１
2016048682.tif 000002
【特許請求の範囲】
【請求項１】
傾斜面が形成された左右の伸張部、および、前記左右の伸張部と一体に形成され、前記左右の伸張部の間隔が狭まるように押圧することでバッテリーポストの側面を両側から挟み込む電極嵌合部を有するバッテリーポスト端子と、
４つの脚部を有し、前記脚部のそれぞれに、前記傾斜面と同じ傾斜角度を有するスロープが形成され、前記スロープを前記傾斜面に接触させつつ上下に移動することで前記左右の伸張部を押圧するスロープ部材と、
前記左右の伸張部の間にねじ部が上下に挿通され、ナットを締結することによって前記スロープ部材を上下に移動させるボルトと、を備え、
前記バッテリーポスト端子には、前記ボルトが前記バッテリーポスト端子に対して上方向或いは下方向のいずれか一方へ移動するのを規制するストッパー部が設けられ、前記スロープ部材には、前記ナットが上下方向において連結され、前記ナットと共に前記スロープ部材が上下方向のいずれか他方に移動可能に構成されていることを特徴とするバッテリーポスト端子の固定構造。
【請求項２】
前記ストッパー部は、前記左右の伸張部の間に前記ねじ部が上下に挿通された後に、前記バッテリーポスト端子の一部を前記ボルトの上側或いは下側へ折り曲げることで構成されていることを特徴とする請求項１に記載のバッテリーポスト端子の固定構造。
【請求項３】
前記バッテリーポスト端子は、前記ストッパー部を設けることで、前記ボルトが前記左右の伸張部の間から外れないようにサブアセンブリーされていることを特徴とする請求項１または請求項２に記載のバッテリーポスト端子の固定構造。
【請求項４】
前記ストッパー部は、前記左右の伸張部からではなく前記電極嵌合部から前記ボルト側に向けて突出していることを特徴とする請求項１に記載のバッテリーポスト端子の固定構造。
【請求項５】
前記左右の伸張部の下面が前記バッテリーポスト端子の底面よりも上側になるよう段差状に形成され、前記ストッパー部の下端が前記バッテリーポスト端子の底面よりも下側に突出しないように構成されていることを特徴する請求項１から請求項４のいずれか１つに記載のバッテリーポスト端子の固定構造。
【発明の詳細な説明】
【技術分野】
【０００１】
本発明は、車両に搭載されるバッテリーのバッテリーポストにバッテリーポスト端子を固定するためのバッテリーポスト端子の固定構造に関する。
【背景技術】
【０００２】
自動車などの車両に搭載されるバッテリーには、その上面から突出するバッテリーポストにバッテリーポスト端子が固定される。このバッテリーポストにバッテリーポスト端子を固定する構造としては、突出するバッテリーポストの側面を両側から挟み込み、ボルトを横方向から挿通させて締め付け固定するものがある。しかしながら、ボルトを横方向から締め付ける構造では、部品点数が多いエンジンルーム内での締付作業が困難な場合がある。そのため、ボルトを上下方向から挿通させて、バッテリーポスト端子の上側で締め付け固定が可能な構造が提案されている（例えば、特許文献１参照）。
【０００３】
特許文献１で開示されるバッテリーポスト端子には、バッテリーポストの側面を両側から挟み込むための２つの締付板部が設けられており、この２つの締付板部には、上側から下側に向けて外側へ広がる傾斜面がそれぞれ形成されている。また、バッテリーポスト端子には、上述したそれぞれの傾斜面に当接しながら上下に移動可能な締付具が取り付けられる。この締付具は、ボルトおよびナットを上下方向で締め付けることで上下に移動する。この構造によれば、締付具と当接するそれぞれの傾斜面には、締付具を上下に移動させることで横方向への分力が作用し、２つの締結板部は、この横方向への分力によってバッテリーポストの側面を挟み込む。これにより、バッテリーポスト端子の上側でナットを締め付けることで、バッテリーポスト端子をバッテリーポストに固定している。
【先行技術文献】
【特許文献】
【０００４】
【特許文献１】実開平０６−５４２０５号公報
【発明の概要】
【発明が解決しようとする課題】
【０００５】
バッテリーポスト端子には、車内の各機器に電力を供給するための配線が接続される。また、近年では、アイドリングストップ機能の追加などでバッテリーに大きな負荷が作用する傾向にあり、バッテリーポスト端子には、バッテリーの充電率などを監視するための検知センサが取り付けられることがある。これらの配線や検知センサは、車両走行中の振動または衝撃によって種々の方向に力が加わることになるので、バッテリーポスト端子の固定力（締付力）をより大きく確保する必要がある。
【０００６】
しかしながら、この固定力を大きくすると、締付板部の傾斜面に当接する締付具がこの傾斜面に食い込んで（噛み込んで）しまい、締付具が上下に移動できなくなってしまうことがある。特に、大きな力で長期間固定した後では、ナットを緩めたとしても、締付具が傾斜面に食い込んだ状態のままでロックされ、２つの締付板部がバッテリーポストの側面を挟み込んだままになってしまう。そのため、バッテリーポスト端子をバッテリーポストから取り外すことができないことがある。
【０００７】
本発明は、上述した事情を鑑みてなされたものであり、その目的は、バッテリーポスト端子の固定用のボルトおよびナットを緩めたときに、より確実にバッテリーポスト端子をバッテリーポストから取り外すことができるバッテリーポスト端子の固定構造を提供することにある。
【課題を解決するための手段】
【０００８】
上述課題を解決するため、本発明のバッテリーポスト端子の固定構造は、傾斜面が形成された左右の伸張部、および、前記左右の伸張部と一体に形成され、前記左右の伸張部の間隔が狭まるように押圧することでバッテリーポストの側面を両側から挟み込む電極嵌合部を有するバッテリーポスト端子と、４つの脚部を有し、前記脚部のそれぞれに、前記傾斜面と同じ傾斜角度を有するスロープが形成され、前記スロープを前記傾斜面に接触させつつ上下に移動することで前記左右の伸張部を押圧するスロープ部材と、前記左右の伸張部の間にねじ部が上下に挿通され、ナットを締結することによって前記スロープ部材を上下に移動させるボルトと、を備え、前記バッテリーポスト端子には、前記ボルトが前記バッテリーポスト端子に対して上方向或いは下方向のいずれか一方へ移動するのを規制するストッパー部が設けられ、前記スロープ部材には、前記ナットが上下方向において連結され、前記ナットと共に前記スロープ部材が上下方向のいずれか他方に移動可能に構成されていることを特徴とする。
【０００９】
また、前記ストッパー部は、前記左右の伸張部の間に前記ねじ部が上下に挿通された後に、前記バッテリーポスト端子の一部を前記ボルトの上側或いは下側へ折り曲げることで構成されるようにしてもよい。
【００１０】
さらに、前記バッテリーポスト端子は、前記ストッパー部を設けることで、前記ボルトが前記左右の伸張部の間から外れないようにサブアセンブリーされていてもよい。
【００１１】
また、前記ストッパー部は、左右の前記伸張部からではなく前記電極嵌合部から前記ボルト側に向けて突出するように構成してもよい。
【００１２】
さらにまた、前記左右の伸張部の下面が前記バッテリーポスト端子の底面よりも上側になるよう段差状に形成され、前記ストッパー部の下端が前記バッテリーポスト端子の底面よりも下側に突出しないように構成されていてもよい。
【発明の効果】
【００１３】
本発明に係るバッテリーポスト端子の固定構造では、バッテリーポスト端子には、ボルトがバッテリーポスト端子に対して上方向或いは下方向のいずれか一方へ移動するのを規制するストッパー部が設けられ、スロープ部材には、ナットが上下方向において連結され、ナットと共にスロープ部材が上下方向のいずれか他方に移動可能に構成されているので、ナットを緩めるときの軸方向の力によって、スロープ部材を強制的に上方向或いは下方向に移動させることができる。そのため、スロープが傾斜面に食い込んで（噛み込んで）しまったとしても、固定部からスロープ部材を強制的に引き剥がすことができる。その結果、固定用のボルトおよびナットを緩めたときに、バッテリーポスト端子をバッテリーポストから確実に取り外すことができる。
【図面の簡単な説明】
【００１４】
【図１】本発明の実施の形態に係るバッテリーポスト端子の固定構造を斜め上側から見た斜視図である。
【図２】図１の分解斜視図である。
【図３】図１および図２で示すスロープ部材の拡大図である。
【図４】（Ａ）は、図３のＢ−Ｂ断面図、（Ｂ）は、（Ａ）で示すハトメ部をかしめ加工する前の状態を示す断面図である。
【図５】バッテリーポスト端子にボルトをサブアセンブリーした状態を示す側面図である。
【図６】図５のＣ方向から見た正面図である。
【図７】図５で示すボルトをサブアセンブリーする前の状態を示す側面図である。
【図８】図７の状態から、ボルトをバッテリーポスト端子の内側に挿入した状態を示す側面図である。
【図９】サブアセンブリーしたバッテリーポスト端子に、サブアセンブリーしたスロープ部材を仮組みした状態を示す側面図である。
【図１０】図９のＡ−Ａ断面図である。
【図１１】図１０の状態からナットを完全に締め付けた状態を示す断面図である。
【図１２】本実施形態の変形例であって、バッテリーポスト端子を手前側から見た正面図である。
【図１３】本実施形態の変形例であって、ストッパー部を折り曲げ部の反対側であって、電極嵌合部側に設けたものを示す側面図である。
【図１４】図１３のＢ方向から見た図である。
【発明を実施するための形態】
【００１５】
以下、本発明の実施の形態に係るバッテリーポスト端子の固定構造１について、図面を用いて詳細に説明する。図１は、本発明の実施の形態に係るバッテリーポスト端子の固定構造を斜め上側から見た斜視図である。また、図２は、図１の分解斜視図である。
なお、本明細書で使用する左右、手前側、奥側の方向は、図１で示す方向をいうものとする。
【００１６】
バッテリーポスト端子の固定構造１は、図１に示すように、バッテリーポスト端子１０およびスロープ部材４０をボルト５０およびナット６０を用いて上下方向に締結して組み付けるものである。また、詳細は後述するが、この固定構造１では、バッテリーポスト端子１０にはボルト５０がサブアセンブリーされており、スロープ部材４０にはナット６０がサブアセンブリーされている。
【００１７】
バッテリーポスト端子１０は、導電性を有する金属材料で形成されており、図１および図２に示すように、奥側に位置する接続部１１と、この接続部１１の手前側に位置する電極嵌合部２１と、この電極嵌合部２１よりもさらに手前側に位置する固定部３１とが一体に構成されている。
【００１８】
接続部１１は、バッテリー状態検出装置の検知センサ（図示せず）のケース内に組み込まれる。電装品用のハーネスは、この検知センサを間に介在させる態様で取り付けられる。この接続部１１の形状は、検知センサ内での取付構造に合わせて任意に形成されている。また、この接続部１１は、検知センサを支持する構造部材としても機能している。
【００１９】
電極嵌合部２１は、バッテリーポスト端子１０をバッテリーポスト（図示せず）に固定するためのものである。この電極嵌合部２１は、錐台形状のバッテリーポストの形状に合わせて錐台形状に形成されており、その中央には、図１および図２に示すように、上下に貫通する嵌合穴２２が形成されている。この嵌合穴２２の内周面２２Ａは、バッテリーポストの傾斜する外周面と面で接触するように傾斜している。また、嵌合穴２２の内周面２２Ａには、周方向に間隔を空けて複数の溝２４が設けられており、バッテリーポストの外周面を挟み込むためのグリップ力を高めている。この電極嵌合部２１は、バッテリーポストの上側から嵌合穴２２を被せるようにして取り付けられる。
【００２０】
また、電極嵌合部２１は、奥側の部分で接続部１１と一体に連続しているが、手前側の部分では、嵌合穴２２を挟んで左右に分岐（分割）した形状になっている。固定部３１は、この左右に分岐した先端部２３Ｌ、２３Ｒのそれぞれから手前側に延びるように形成されている。
【００２１】
固定部３１は、図１に示すように、左側の先端部２３Ｌから手前側に延びる左側伸張部３２Ｌと、この左側伸張部３２Ｌと中心線Ｓを挟んで左右に間隔を空けて配置され、右側の先端部２３Ｒから手前側に延びる右側伸張部３２Ｒとで構成されている。また、右側伸張部３２Ｒの手前側先端部には、左側伸張部３２Ｌの手前側の先端に向けて内側に折り曲げられた折り曲げ部３３が形成されている。さらに、折り曲げ部３３の下側には、折り曲げ部３３の下辺から下側に向けて突出するストッパー部３６が形成されている。
【００２２】
折り曲げ部３３は、図１および図２に示すように、バッテリーポスト端子１０の手前側の開口を塞ぐようにして設けられている。この折り曲げ部３３を設けない構造では、複数のバッテリーポスト端子１０をメッキ槽に入れてメッキをする際に、バッテリーポスト端子１０同士がこの手前側の開口部分で絡まってしまい、均質なメッキができないことがある。そのため、他の端子１０と絡まないように開口を塞ぐようにしている。また、この折り曲げ部３３は、詳細は後述するボルト５０をサブアセンブリーしたときに、ねじ部５１が手前側の開口から外れないようにもしている。
【００２３】
なお、固定部３１（左側伸張部３２Ｌ、右側伸張部３２Ｒ）は、上述した折り曲げ部３３およびストッパー部３６を除いて、中心線Ｓを挟んで左右対称な形状である。そのため、以下の説明では固定部３１の左側の構造についてのみ説明し、右側の構造については詳細な説明を省略する。なお、ストッパー部３６の詳細な説明は後述する。
【００２４】
左側伸張部３２Ｌには、図４または図５に示す手前側から見て、下側から上側に向かうに従い中心線Ｓに近づくように右上がりに傾斜する傾斜面３４が形成されている。また、傾斜面３４の前後方向における中央には、図１および図２に示すように、内側から外側に向けて突出し、傾斜面３４の上側から下側まで上下方向に連続するボス部３５が形成されている。このボス部３５の位置は、図１に示すように、詳細は後述するボルト５０が取り付けられた状態で、そのねじ部５１が挿通される位置と対応している。また、このボス部３５は、固定部３１に後述するスロープ部材４０が組み付けられた状態で、図１に示すように、前後に隣り合う脚部４２の間に向けて外方向へ突出するようになる。
【００２５】
また、左側伸張部３２Ｌは弾性を有しており、電極嵌合部２１の奥側の部分を基端部として左右に弾性移動するようになっている。これにより、左側伸張部３２Ｌおよび右側伸張部３２Ｒを中心線Ｓに向かって内側に移動させると、電極嵌合部２１がバッテリーポストを締め込むようになる。
【００２６】
スロープ部材４０は、図１に示すように、バッテリーポスト端子１０の固定部３１の上側から被せるように取り付けられる。このスロープ部材４０は、略四角形状の天面部４１と、この天面部４１の４つの角部のそれぞれから下側に延びる４つの脚部４２とを有している。天面部４１の辺の長さは、図１に示すように、左右方向よりも前後方向の辺が短く形成されている。また、天面部４１には、その中央部に挿通穴４１Ａ（図４参照）が形成されており、この挿通穴４１Ａには、後述するボルト５０のねじ部５１が挿通される。４つの脚部４２は、この挿通穴４１Ａを中心にして前後および左右に対称に配置されており、脚部４２の前後方向の間隔が、左右方向の脚部の間隔よりも狭くなっている。また、天面部４１の上面は、ナット６０が安定して締め付けられるように平面状に形成されている。
【００２７】
４つの脚部４２の左右の内側には、図２（および図３）に示すように、スロープ４２Ａがそれぞれ形成されている。このスロープ４２Ａは、左右の伸張部３２Ｌ、３２Ｒの傾斜面３４と同じ傾斜角度で形成されており、スロープ部材４０を固定部３１に組み付けた状態で、傾斜面３４とスロープ４２Ａが面で接触するようになる。
【００２８】
４つの脚部４２の上端は、図１（および図１１）に示すように、ナット６０を完全に締め付けた状態で、傾斜面３４の上端に突き当たるようにしている。すなわち、この４つの脚部４２の長さは、ナット６０を締め付けたときの締付トルクとの関係で決定されており、４つの脚部４２の上端が突き当たるまで締め込むようにすることで、過トルクを防止するようにしている
【００２９】
また、スロープ部材４０の４つの脚部４２は、スロープ部材４０が取り付けられた状態を垂直方向から見て、ボルト５０のねじ部５１を中心に、ねじ部５１の外周に沿って間隔を空けて配置され、ねじ部５１の外側を囲むようにほぼ均等にバランスよく配置されている。より詳細には、バッテリーポスト端子１０を正面から見て、左右の伸張部３２Ｌ、３２Ｒ、電極嵌合部２１、およびスロープ部材４０の４つの脚部４２が、挿通されるボルト５０のねじ部５１を挟んで左右対称にバランスよく配置されている。同様に、４つの脚部４２は、ねじ部５１を挟んで前後に対称になるように配置されているので、前後方向における締付バランスもよい。
【００３０】
ボルト５０は、図１および図２に示すように、上下方向に延在するねじ部５１と、このねじ部５１の下側に位置する平板状の頭部５２とで構成されている。
【００３１】
図３は、図１で示すスロープ部材の拡大図である。また、図４（Ａ）は、図３のＢ−Ｂ断面図、図４（Ｂ）は、図４（Ａ）で示すハトメ部６２をかしめ加工する前の状態を示す断面図である。
【００３２】
上述したスロープ部材４０およびナット６０は、バッテリーポスト端子１０に組み付けられる前に、図３および図４（Ａ）、図４（Ｂ）に示すように、ナット６０が天面部４１に予めサブアセンブリーされている。
【００３３】
ナット６０には、図４（Ｂ）に示すように、ナット６０の下面から下側に向かって円筒状に突出するハトメ部６２が設けられている。このハトメ部６２の中心線Ｓは、ナット６０のねじ穴６１の中心線Ｓと一致している。また、ハトメ部６２の内径は、ナット６０のねじ穴よりも大きく形成されており、ボルト５０のねじ部５１が挿通可能になっている。また、ハトメ部６２は、ナット６０と一体に形成されていてもよく、別体であってもよい。すなわち、円筒状のハトメ部６２を一般的なナットに溶接等で一体に取り付けるものであってもよい。
【００３４】
ハトメ部６２は、スロープ部材４０の挿通穴４１Ａ内に上側から挿入され、図４（Ｂ）に示すように、下側から加圧工具６５によってかしめ加工される。ハトメ部６２の下端部６２Ａは、図４（Ａ）に示すように、このかしめ加工による加圧変形によって外側に拡径される。これにより、変形した下端部６２Ａが天面部４１の下面に当たり、スロープ部材４０に対してナット６０が上下方向に外れないようになる。また、ハトメ部６２の外径寸法は、スロープ部材４０の挿通穴４１Ａの内径寸法よりも小さく形成されており、挿入された状態で径方向に隙間が空くようになっている。そのため、ナット６０は、下端部６２Ａが加圧変形された後であっても、中心線Ｓを中心にスロープ部材４０に対して自由に回転できる（締付ができる）ようになっている。
【００３５】
図５は、バッテリーポスト端子１０にボルト５０をサブアセンブリーした状態を示す側面図であり、図６は、図５のＣ方向から見た正面図である。また、図７は、図５で示すボルト５０をバッテリーポスト端子１０にサブアセンブリーする前の状態を示す側面図である。さらに、図８は、図７の状態から、ボルト５０をバッテリーポスト端子１０の内側に挿入した状態を示す側面図である。
【００３６】
バッテリーポスト端子１０には、図５および図６に示すように、ボルト５０が予めサブアセンブリーされている。より詳細には、図７に示すように、ボルト５０は、そのねじ部５１が左側伸張部３２Ｌおよび右側伸張部３２Ｒの間を通るようにして下側から組み付けられる。そして、図８に示すように、ボルト５０の頭部５２の上面が固定部３１の下面３１Ａに当接するまでボルト５０を挿通させた後に、ストッパー部３６を頭部５２に向けて内側へ折り曲げる。折り曲げられたストッパー部３６は、ボルト５０の頭部５２の下面と接しており、ボルト５０が下側に抜けないように押さえている。これにより、図５および図６に示すように、バッテリーポスト端子１０にボルト５０がサブアセンブリーされる。
【００３７】
上述した固定部３１の下面３１Ａは、バッテリーポスト端子１０の底面１０Ａよりも上側に位置し、底面１０Ａと下面３１Ａが段差状に形成されている。ボルト５０の頭部５２は、この段差部分に入り込むようにして組み付けられる。このように組み付けられた状態では、頭部５２の前後方向（図５の紙面左右方向）の側面は、段差部分の壁面３７とストッパー部３６の側壁面とにそれぞれ対向するようになる。これにより、ボルト５０とナット６０を締め付けるときに、ボルト５０の頭部が壁面３７およびストッパー部３６に当たって供回りしないようにしている。また、段差部分の壁面３７とストッパー部３６とによって頭部５２の前後方向の位置が規制された状態では、図５に示すように、ねじ部５１は固定部３１のボス部３５の位置を通るようになっている。
【００３８】
また、ストッパー部３６を折り曲げた状態では、図５および図６に示すように、ストッパー部３６の下部（下端）がバッテリーポスト端子１０の底面１０Ａよりも下側に突出しないように構成されている。これにより、バッテリーポスト端子１０をバッテリーポストに取り付けたときに、ストッパー部３６がバッテリーの上面と干渉しないようにしている。
【００３９】
次に、本発明の実施の形態におけるバッテリーポスト端子の固定構造の作用について説明する。
図９は、図５および図６で示すサブアセンブリーしたバッテリーポスト端子１０に、図３で示すサブアセンブリーしたスロープ部材４０を仮組みした状態を示す側面図である。また、図１０は、図９のＡ−Ａ断面図であり、図１１は、図１０の状態からナットを完全に締め付けた状態を示す断面図である。
【００４０】
ナット６０を完全に締め付ける前の状態は、図９および図１０に示すように、固定部３１の上にスロープ部材４０が置かれた状態であり、スロープ部材４０のスロープ４２Ａと、固定部３１の傾斜面３４とが面で接触している。また、スロープ部材４０の挿通穴４１Ａには、左右の伸張部３２Ｌ、３２Ｒの間（より詳細には、左右のボス部３５の間）を通って上下方向に延びるボルト５０のねじ部５１が挿通され、ねじ部５１にナット６０が仮締めされている。
【００４１】
スロープ部材４０の左右方向の位置は、スロープ４２Ａと傾斜面３４がそれぞれが面で接触することによって規制される。また、前後方向の位置は、脚部４２の前後方向の内側面とボス部３５とによって規制される。
【００４２】
この状態から、ナット６０をスロープ部材４０の上側で締め付けると、図１１に示すように、スロープ部材４０は、スロープ４２Ａと傾斜面３４との左右での面接触によって案内されながら下側Ｘ方向（ボルト５０の締付方向）に移動する。また、スロープ４２Ａは、傾斜面３４を内側Ｙ方向にそれぞれ押圧する。これにより、固定部３１は、左右の伸張部３２Ｌ、３２Ｒの左右方向の間隔が狭まるように内側Ｙ方向へ弾性変形し、電極嵌合部２１の嵌合穴２２内のバッテリーポストが締め付け固定される。
【００４３】
このとき、傾斜面３４とスロープ４２Ａとは、面同士で接触しながら伸張部３２Ｌ、３２ＲをＹ方向へ押圧するので、伸張部３２Ｌ、３２Ｒがこの押圧力でねじれることがない。そのため、ナット６０の締結力が伸張部３２Ｌ、３２Ｒに安定して伝わるようになり、伸張部３２Ｌ、３２Ｒがバランス良く押圧されるようになる。
【００４４】
また、４つの脚部４２は、バッテリーポスト端子１０を垂直方向から見て、ボルト５０のねじ部５１を中心に、ねじ部５１の外周に沿って間隔を空けて配置し、ねじ部５１の外側を囲むようにほぼ均等にバランスよく配置されているため、左右の伸張部３２Ｌ、３２Ｒをほぼ均等な力で内側Ｙ方向へと押圧する。これにより、ボルト５０とナット６０の締結後のねじ部５１に多方向から力が作用したとしても、どの方向に対しても均等な固定強度が確保できるようになる。
【００４５】
このようにナット６０を締め付けてバッテリーポスト端子１０を固定した場合、傾斜面３４とスロープ４２Ａの接触面には大きな圧力が作用する。そのため、この締め付けた状態で長時間経過すると、スロープ４２Ａが傾斜面３４に食い込んで（噛み込んで）、固定部３１からスロープ部材４０が外れなくなってしまうことがある。
【００４６】
本実施形態では、ナット６０を締め付けた状態（図１１の状態）からナット６０を緩めていくと、ナット６０はスロープ部材４０と一体にサブアセンブリーされているので、ねじ部５１に沿ってナット６０とスロープ部材４０とが一緒に上方向（図１１のＸ方向とは逆の方向）に移動する。このとき、ボルト５０は、その反力で下側へと押されるが、ストッパー部３６によって下側が押さえられているので、バッテリーポスト端子１０に対してボルト５０が下側へ移動できない。そのため、スロープ４２Ａが傾斜面３４に強く食い込んでいたとしても、ナット６０を緩めることでスロープ部材４０を強制的に上方向に移動させ、食い込んだ状態をナット６０のねじ力によって強制的に引き剥がすことができる。
【００４７】
本発明の実施の形態に係るバッテリーポスト端子の固定構造１によれば、バッテリーポスト端子１０には、ボルト５０がバッテリーポスト端子１０に対して下方向へ移動するのを規制するストッパー部３６が設けられ、スロープ部材４０には、ナット６０が上下方向において連結され、ナット６０と共にスロープ部材４０が上方向に移動可能に構成されているので、ナット６０を緩めるときのねじ力によって、スロープ部材４０を強制的に上方向に移動させることができる。そのため、スロープ４２Ａが傾斜面３４に食い込んで（噛み込んで）しまったとしても、固定部３１からスロープ部材４０を強制的に引き剥がすことができる。その結果、固定用のボルト５０およびナット６０を緩めたときに、バッテリーポスト端子１０をバッテリーポストから確実に取り外すことができる。
【００４８】
また、ストッパー部３６は、左右の伸張部３２Ｌ、３２Ｒの間にねじ部５１が上下に挿通された後に、バッテリーポスト端子１０の一部（詳細には、折り曲げ部３３の一部）をボルト５０の下側へ折り曲げることで構成されているので、より簡単な構造でストッパー部３６を構成することができる。また、バッテリーポスト端子１０の一部を折り曲げて構成しているので、バッテリーポスト端子としての部品数を増やすことなくストッパー部３６を構成することができる。
【００４９】
さらに、バッテリーポスト端子１０は、ストッパー部３６を設けることで、ボルト５０が左右の伸張部３２Ｌ、３２Ｒの間から下側に外れないようにサブアセンブリーされているので、バッテリーポスト端子１０を取り付ける際に、作業者が左右の伸張部３２Ｌ、３２Ｒの間にボルト５０を挿通させる作業が必要なく、組み付け作業性が向上する。また、バッテリーポスト端子１０の着脱時に、ナット６０（スロープ部材４０も一緒）がねじ部５１から完全に取り外されたとしても、ボルト５０が下側に抜け落ちることがない。そのため、バッテリーポスト端子１０の着脱時にボルト５０が抜け落ちないように注意しておく必要がなく、作業性を向上させることができる。
【００５０】
また、ボルト５０のねじ部５１を上下に挿通させているので、バッテリーポスト端子１０の上側でナット６０を締め付けることができる。これにより、バッテリーポストにバッテリーポスト端子１０を固定する作業をバッテリーポスト端子１０の上側で行うことができるため、着脱時の作業性がよい。
【００５１】
さらに、バッテリーポスト端子１０を正面から見て、左右の伸張部３２Ｌ、３２Ｒ、電極嵌合部２１、およびスロープ部材４０の４つの脚部４２が、挿通されるボルト５０のねじ部５１を挟んで左右対称に配置されているので、ナット６０を締め付ける締付力を左右の伸張部３２Ｌ、３２Ｒおよび電極嵌合部２１に均等にバランス良く作用させることができる。また、４つの脚部４２は、ねじ部５１を挟んで前後に対称になるように配置されているので、前後方向における締付バランスもよい。そのため、前後、左右に安定した固定強度が得られるようになる。さらに、左右の伸張部３２Ｌ、３２Ｒのそれぞれの傾斜面３４は、スロープ部材４０の移動方向である上側から下側に向かうに従い左右方向の外側に広がるように傾斜しているので、手前側の２つの脚部４２と奥側の２つの脚部４２で伸張部３２Ｌ、３２Ｒを同じ締め付け力で水平内側に移動させることができる。
【００５２】
さらに、傾斜面３４には、隣り合う脚部４２の間に向けて突出するボス部３５が形成されているので、このボス部３５を間に挟んでスロープ部材４０を配置することで、スロープ部材４０の位置決めを容易に行うことができる。また、ナット６０を締結する際に、脚部４２とボス部３５が当接することで、スロープ部材４０がナット６０と一緒に供回りするのを防止することができる。さらに、伸張部３２Ｌ、３２Ｒの剛性を高めることができる。
【００５３】
さらにまた、ナット６０を締結した状態で、脚部４２の上端が傾斜面３４の上端に突き当たるようにしているので、作業者がナット６０を締結する際に、脚部４２の上端が傾斜面３４の上端に突き当たるまで締め付ければ所定の締付トルクが出せるようにすることができる。そのため、過トルクを防止することができ、かつ、作業者によって締付トルクがばらつくことがなくなる。さらに、トルク管理が容易なため、作業性が向上する。
【００５４】
以上、本発明の実施の形態に係るバッテリーポスト端子の固定構造１について述べたが、本発明は既述の実施形態に限定されるものではなく、本発明の技術思想に基づいて各種の変形および変更が可能である。
【００５５】
例えば、実施の形態では、折り曲げ部３３の下側を折り曲げてストッパー部３６を構成しているが、これに限定されるものではない。例えば、ストッパー部を別部品で構成し、ボルト５０を挿通させた後に、この別部品のストッパー部をねじ固定、溶接などの公知技術を用いて取り付けるようにしてもよい。この構造であっても、別部品のストッパー部でボルト５０の下側を受けることができる。また、バッテリーポスト端子１０とボルト５０を予めサブアセンブリーしておくことができる。
【００５６】
また、実施の形態では、折り曲げ部３３の下側にストッパー部３６を設けて折り曲げているが、折り曲げ部３３以外の部分を折り曲げてストッパー部を構成しても構わない。すなわち、バッテリーポスト端子１０の折り曲げ部３３以外の部位の一部をボルト５０の下側へ折り曲げることで、ストッパー部を構成するようにしてもよい。例えば、図１３および図１４は、本実施形態の変形例であって、折り曲げ部以外にストッパー部を構成したものである。
【００５７】
図１３および図１４に示すバッテリーポスト端子２１０には、電極嵌合部２１から折り曲げ部２３３に向けてストッパー部２３６が突出する態様で設けられている。このストッパー部２３６は、図１４に示すように、左右の伸張部３２Ｌ、３２Ｒのそれぞれ下側に設けられている。このストッパー部２３６は、ボルト５０を左右の伸張部３２Ｌ、３２Ｒの間に挿通させた状態で、ボルト５０の頭部５２の下側に位置する。すわなち、左右の伸張部３２Ｌ、３２Ｒとストッパー部２３６との間の窪みにボルト５０の頭部５２が位置する。これにより、ナット６０を回転させてボルト５０が下側に移動するようになったとしても、ストッパー部２３６でボルト５０の頭部５２を受けることができる。また、ボルト５０の頭部が段差部の壁面３７に当たり、ナット６０を回した時にボルト５０が供回りするのを防ぐことができる。
【００５８】
このストッパー部２３６は、例えば、バッテリーポスト端子２１０をプレス成型する際に形成すればよく、本実施の形態の構造と比較して、ボルト５０を挿通させた後の折り曲げ加工の工程を省くことができる。そのため、製造工数の削減および製造コストを下げることが可能になる。
【００５９】
また、上記実施の形態では、スロープ部材４０の手前側の２つの脚部４２と奥側の２つの脚部４２で伸張部３２Ｌ、３２Ｒを締め付けるようにしているが、手前側の２つの脚部４２または奥側の２つの脚部４２のいずれかが傾斜面３４と当接するようにして伸張部３２Ｌ、３２Ｒを締め付けるようにしてもよい。
【００６０】
さらに、実施の形態では、ボルト５０を下側から上側に向けて挿入し、その上側でナット６０を締め付けるようにしているが、ナットとボルトを上下逆にして構成することもできる。例えば、下側に溶接等でナットを固定しておき、ボルトを上側から挿入し、このボルトを締結するようにする。この構造によっても、ボルトを上下方向に挿通することができ、作業者は、バッテリーポスト端子１０の上側で締結作業を行うことができる。
【００６１】
また、実施の形態では、スロープ部材４０を伸張部３２Ｌ、３２Ｒの上側から被せるように取り付けているが、伸張部３２Ｌ、３２Ｒの下側から取り付けるようにして、スロープ部材を上側に引き上げるようにしてもよい。この場合、伸張部３２Ｌ、３２Ｒの傾斜面３４およびスロープ部材４０のスロープ４２Ａの傾斜をそれぞれ上下逆にして形成すればよい。このような構造であっても、作業者は、バッテリーポスト端子１０の上側でナット６０或いはボルト５０の締結作業を行うことができると共に、バッテリーポスト端子をバッテリーポストから確実に取り外すことができる。
【００６２】
さらに、実施の形態における折り曲げ部３３は、右側伸張部３２Ｒの手前側先端部を折り曲げる態様で形成されているが、左側伸張部３２Ｌの手前側先端部を折り曲げて構成し、この下側にストッパー部３６を設けるようにしてもよい。その他、図１２に示すバッテリーポスト端子１１０のように、折り返し部１３３Ａ、１３３Ｂを左右両方でそれぞれ折り曲げて、上下に分離して構成してもよい。そして、下側の折り返し部１３３Ａにストッパー部３６を設けるようにすることができる。
【符号の説明】
【００６３】
１  バッテリーポスト端子の固定構造
１０、１１０、２１０  バッテリーポスト端子
１０Ａ  底面
１１  接続部
２１  電極嵌合部
２２  嵌合穴
２２Ａ  内周面
２３Ｌ、２３Ｒ  先端部
２４  溝
３１  固定部
３１Ａ  固定部の下面
３２Ｌ  左側伸張部
３２Ｒ  右側伸張部
３３、２３３  折り曲げ部
３４  傾斜面
３５  ボス部
３６、２３６  ストッパー部
３７  段差部分の壁面
４０  スロープ部材
４１  天面部
４１Ａ  挿通穴
４２  脚部
４２Ａ  スロープ
５０  ボルト
５１  ねじ部
５２  頭部
６０  ナット
６１  ねじ穴
６２  ハトメ部
６５  加圧工具
１３３Ａ、１３３Ｂ  折り返し部
Ｓ  中心線
Ｘ、Ｙ  方向
【図１】
2016048682.tif 000003
【図２】
2016048682.tif 000004
【図３】
2016048682.tif 000005
【図４】
2016048682.tif 000006
【図５】
2016048682.tif 000007
【図６】
2016048682.tif 000008
【図７】
2016048682.tif 000009
【図８】
2016048682.tif 000010
【図９】
2016048682.tif 000011
【図１０】
2016048682.tif 000012
【図１１】
2016048682.tif 000013
【図１２】
2016048682.tif 000014
【図１３】
2016048682.tif 000015
【図１４】
2016048682.tif 000016